(57)【特許請求の範囲】
【請求項１】
モバイルデバイスからの情報を表示する方法であって、前記方法が、
前記モバイルデバイスが、前記モバイルデバイスと外部ディスプレイデバイスとの間のワイヤレス接続を検出することと、
前記モバイルデバイスが、前記外部ディスプレイデバイスの少なくとも１つのプロパティを検出することと、
前記モバイルデバイスが、少なくとも前記ワイヤレス接続の前記検出に基づいて前記モバイルデバイスのディスプレイを調節することと
を備え、
前記調節することが、前記検出された少なくとも１つのプロパティに基づいて前記モバイルデバイスの前記ディスプレイを調節することを備える、方法。
【請求項２】
前記ディスプレイを調節することが、前記ディスプレイのリフレッシュレートを低減することを備える、請求項１に記載の方法。
【請求項３】
前記ディスプレイを調節することが、前記ディスプレイのバックライトをオフにすることを備える、請求項１に記載の方法。
【請求項４】
前記ディスプレイを調節することが、前記ディスプレイのバックライトの輝度レベルを調節することを備える、請求項１に記載の方法。
【請求項５】
前記ディスプレイを調節することが、前記ディスプレイのピクセルアレイへの電源をオフにすることを備える、請求項１に記載の方法。
【請求項６】
前記モバイルデバイスが、前記モバイルデバイスと外部電源との間の接続を検出することをさらに備え、少なくとも前記外部電源との前記接続が検出された場合、前記ディスプレイを調節することが、前記ディスプレイを電源投入状態に維持することを備える、請求項１に記載の方法。
【請求項７】
前記少なくとも１つのプロパティは、前記外部ディスプレイデバイスがタッチスクリーンディスプレイを備えるか、あるいは、前記外部ディスプレイデバイスが非タッチスクリーンディスプレイを備える、請求項１に記載の方法。
【請求項８】
前記モバイルデバイスが、前記外部ディスプレイデバイスに最初に接続されたときに前記モバイルデバイスを第１の状態に設定することと、前記外部ディスプレイデバイスから最初に切断されたときに前記モバイルデバイスを第２の状態に設定することとをさらに備える、請求項１に記載の方法。
【請求項９】
前記第１の状態が前記第２の状態とは異なる、請求項８に記載の方法。
【請求項１０】
前記第１の状態が前記第２の状態と実質的に同じである、請求項８に記載の方法。
【請求項１１】
前記モバイルデバイスが、前記モバイルデバイスのバッテリー充電レベルに基づいて前記モバイルデバイスの前記ディスプレイを調節することをさらに備える、請求項１に記載の方法。
【請求項１２】
前記モバイルデバイスが、ユーザからの入力に基づいて前記モバイルデバイスの前記ディスプレイを調節することをさらに備える、請求項１に記載の方法。
【請求項１３】
ディスプレイと、
外部ディスプレイデバイスとのワイヤレス接続を検出するように構成された第１の処理回路と、
少なくとも前記ワイヤレス接続の前記検出に基づいて前記ディスプレイを調節するように構成された第２の処理回路と、
前記外部ディスプレイデバイスの少なくとも１つのプロパティを検出するように構成された第３の処理回路と、
を備え、
前記第２の処理回路が、前記検出された少なくとも１つのプロパティに基づいて前記ディスプレイを調節するようにさらに構成される、モバイルデバイス。
【請求項１４】
前記第２の処理回路が、前記ディスプレイのリフレッシュレートを低減するようにさらに構成された、請求項１３に記載のモバイルデバイス。
【請求項１５】
前記第２の処理回路が、前記ディスプレイのバックライトをオフにするようにさらに構成された、請求項１３に記載のモバイルデバイス。
【請求項１６】
前記第２の処理回路が、前記ディスプレイのバックライトの輝度レベルを調節するようにさらに構成された、請求項１３に記載のモバイルデバイス。
【請求項１７】
前記第２の処理回路が、前記ディスプレイのピクセルアレイへの電源をオフにするようにさらに構成された、請求項１３に記載のモバイルデバイス。
【請求項１８】
外部電源との接続を検出するように構成された第３の処理回路をさらに備え、少なくとも前記外部電源との前記接続が検出された場合、前記第２の処理回路が、前記ディスプレイを電源投入状態に維持するようにさらに構成された、請求項１３に記載のモバイルデバイス。
【請求項１９】
前記少なくとも１つのプロパティは、前記外部ディスプレイデバイスがタッチスクリーンディスプレイを備えるか、あるいは、前記外部ディスプレイデバイスが非タッチスクリーンディスプレイを備える、請求項１３に記載のモバイルデバイス。
【請求項２０】
前記外部ディスプレイデバイスに最初に接続されたときに前記モバイルデバイスを第１の状態に設定するように構成され、前記外部ディスプレイデバイスから最初に切断されたときに前記モバイルデバイスを第２の状態に設定するようにさらに構成された第３の処理回路をさらに備える、請求項１３に記載のモバイルデバイス。
【請求項２１】
前記第１の状態が前記第２の状態とは異なる、請求項２０に記載のモバイルデバイス。
【請求項２２】
前記第１の状態が前記第２の状態と実質的に同じである、請求項２０に記載のモバイルデバイス。
【請求項２３】
前記第２の処理回路が、前記モバイルデバイスのバッテリー充電レベルに基づいて前記ディスプレイを調節するようにさらに構成された、請求項１３に記載のモバイルデバイス。
【請求項２４】
前記第２の処理回路が、ユーザからの入力に基づいて前記ディスプレイを調節するようにさらに構成された、請求項１３に記載のモバイルデバイス。
【請求項２５】
モバイルデバイスと外部ディスプレイデバイスとの間のワイヤレス接続を検出するための手段と、
少なくとも前記ワイヤレス接続の前記検出に基づいて前記モバイルデバイスのディスプレイを調節するための手段と、
前記外部ディスプレイデバイスの少なくとも１つのプロパティを検出するための手段とを備え、
前記調整するための手段が、前記検出された少なくとも１つのプロパティに基づいて前記ディスプレイを調節するように構成される、装置。
【請求項２６】
前記調節するための手段が、前記ディスプレイのリフレッシュレートを低減するようにさらに構成された、請求項２５に記載の装置。
【請求項２７】
前記調節するための手段が、前記ディスプレイのバックライトをオフにするようにさらに構成された、請求項２５に記載の装置。
【請求項２８】
前記調節するための手段が、前記ディスプレイのバックライトの輝度レベルを調節するようにさらに構成された、請求項２５に記載の装置。
【請求項２９】
前記調節するための手段が、前記ディスプレイのピクセルアレイへの電源をオフにするようにさらに構成された、請求項２５に記載の装置。
【請求項３０】
コンピュータに、モバイルデバイスと外部ディスプレイデバイスとの間のワイヤレス接続を検出させるためのコードと、
コンピュータに、少なくとも前記ワイヤレス接続の前記検出に基づいて前記モバイルデバイスのディスプレイを調節させるためのコードと、
コンピュータに、前記外部ディスプレイデバイスの少なくとも１つのプロパティを検出させるためのコードと、
を備え、
前記調整させるためのコードが、コンピュータに、前記検出された少なくとも１つのプロパティに基づいて前記ディスプレイを調節させるように構成される、コンピュータプログラム。
【請求項３１】
コンピュータに、前記ディスプレイのリフレッシュレートを低減させるためのコードをさらに備える、請求項３０に記載のコンピュータプログラム。
【請求項３２】
コンピュータに、前記ディスプレイのバックライトをオフにさせるためのコードをさらに備える、請求項３０に記載のコンピュータプログラム。
【請求項３３】
コンピュータに、前記ディスプレイのバックライトの輝度レベルを調節させるためのコードをさらに備える、請求項３０に記載のコンピュータプログラム。
【請求項３４】
コンピュータに、前記ディスプレイのピクセルアレイへの電源をオフにさせるためのコードをさらに備える、請求項３０に記載のコンピュータプログラム。
【発明の詳細な説明】
【技術分野】
【０００１】
関連出願の相互参照
本出願は、２００９年４月１４日に出願された米国仮出願第６１／１６９，０８８号の利益を主張する。
【０００２】
本出願は、一般にモバイルデバイスに関し、より詳細には、セルフォンディスプレイに関する。
【背景技術】
【０００３】
モバイルデバイス（たとえば、電話、スマートフォン、携帯情報端末（ＰＤＡ）、ウルトラモバイルパーソナルコンピュータ（ＵＭＰＣ）、モバイルインターネットデバイス（ＭＩＤ）など）は、より大きいおよび／または２次ディスプレイを与えるために、外部モニタに接続されることがある。そのような場合、外部ディスプレイを駆動するために、モバイルデバイスのバッテリーからのさらなる電力消費量が必要とされる。したがって、このさらなる電力消費量を相殺する必要がある。
【発明の概要】
【０００４】
本開示の例示的な態様の概要について以下で説明する。便宜上、本明細書では、本開示の１つまたは複数の態様を単に「いくつかの態様」と呼ぶことがある。
【０００５】
本明細書で開示されている方法および装置またはデバイスは、それぞれいくつかの態様を有し、それらのうちの単一の態様が単独で本発明の望ましい属性を担当するわけではない。次に、たとえば、以下の特許請求の範囲によって表される本開示の範囲を限定することなしに、そのより顕著な特徴について手短に説明する。この説明を考察すれば、特に「発明を実施するための形態」と題するセクションを読めば、説明されている特徴が、外部ディスプレイを駆動するときのモバイルデバイスにおける電力消費量の改善を含む利点をどのように提供するかが理解されよう。
【０００６】
本開示の一実施形態は、モバイルデバイスからの情報を表示する方法を提供する。本方法は、モバイルデバイスと外部ディスプレイデバイスとの間のワイヤレス接続を検出することを備える。本方法は、少なくともワイヤレス接続の検出に基づいてモバイルデバイスのディスプレイを調節することをさらに備える。
【０００７】
本開示の別の実施形態は、ディスプレイを備えるモバイルデバイスを提供する。モバイルデバイスは、外部ディスプレイデバイスとのワイヤレス接続を検出するように構成された第１の処理回路をさらに備える。モバイルデバイスは、少なくともワイヤレス接続の検出に基づいてディスプレイを調節するように構成された第２の処理回路をさらに備える。
【０００８】
本開示のさらに別の実施形態は、装置を提供する。本装置は、モバイルデバイスと外部ディスプレイデバイスとの間のワイヤレス接続を検出するための手段を備える。本装置は、少なくともワイヤレス接続の検出に基づいてモバイルデバイスのディスプレイを調節するための手段をさらに備える。
【０００９】
本開示のさらなる実施形態は、コンピュータ可読媒体を備えるコンピュータプログラム製品を提供する。コンピュータ可読媒体は、コンピュータに、モバイルデバイスと外部ディスプレイデバイスとの間のワイヤレス接続を検出させるためのコードを備える。コンピュータ可読媒体は、コンピュータに、少なくともワイヤレス接続の検出に基づいてモバイルデバイスのディスプレイを調節させるためのコードをさらに備える。
【図面の簡単な説明】
【００１０】
【図１】モバイルデバイスの一例を示すブロック図。
【図２】図１のモバイルデバイスの送信機の一例を示すブロック図。
【図３】図１のモバイルデバイスの受信機の一例を示すブロック図。
【図４】外部ディスプレイデバイスに接続された図１のモバイルデバイスの一実施形態の図。
【図５】図１および図４に示すモバイルデバイスのディスプレイに送られる電力を調節するプロセスの一実施形態のフローチャート。
【図６】図１および図４に示すモバイルデバイスのディスプレイに送られる電力を調節するプロセスの一実施形態の別のフローチャート。
【図７】モバイルデバイスの別の例を示すブロック図。
【発明を実施するための形態】
【００１１】
以下の発明を実施するための形態は、本発明のいくつかの特定の実施形態を対象とする。ただし、本発明は、多数の異なる方法で実施され得る。本明細書の態様は多種多様な形態で実施され得、本明細書で開示されている特定の構造、機能、またはその両方は代表的なものにすぎないことは明らかであろう。本明細書の教示に基づいて、本明細書で開示される態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。上記の概念の一部の一例として、いくつかの態様では、モバイルデバイスとディスプレイとの間の接続がワイヤレスプロトコルに基づき得る。いくつかの態様では、デバイス間の通信チャネルがワイヤードデータ送信に基づき得る。
【００１２】
モバイルデバイス（たとえば、電話、スマートフォン、携帯情報端末（ＰＤＡ）、ウルトラモバイルパーソナルコンピュータ（ＵＭＰＣ）、モバイルインターネットデバイス（ＭＩＤ）など）は、一般に、サイズの制約により、小さいディスプレイ領域を有する。ただし、モバイルデバイスは、より大きいディスプレイ領域をもつ外部ディスプレイデバイスに接続され得る。モバイルデバイスは、次いで、外部ディスプレイデバイスを駆動して情報を表示し得る。しかしながら、外部ディスプレイデバイスを駆動するために、モバイルデバイスにおいて電力消費量の増加が生じる。本明細書では、モバイルデバイスが外部ディスプレイデバイスに接続されたときのモバイルデバイスにおける電力消費量を低減するための方法およびデバイスについて説明する。説明する方法およびデバイスに関連して使用され得るいくつかのアーキテクチャを以下に示す。
【００１３】
パーソナルまたはボディエリアネットワークは、互いに「ペアリング」したデバイスによって定義され得る。ペアリングとは、ユーザ制御下などで、デバイスが互いに登録するためのプロセスである。ペアリングされた後、デバイスは、一般に、それらのデバイスが範囲内にあり、アクティブであるときはいつでも、ペアリングプロセスを再実行することなしに、互いに通信することができる。
【００１４】
ペアリングの前に、デバイスは、最初に、たとえば、発見メッセージの交換によってデバイスが互いを発見する、発見可能な状態に入ることによって、互いを発見しなければならない。発見すると、デバイスは互いにペアリングし得る。ペアリングは、少なくとも部分的に、ペアリングを特定のデバイスに限定するためのセキュリティ機能である。たとえば、ペアリングは、デバイスの不正なまたは不要なペアリングを防ぐために第１のデバイスが（デバイス用に工場においてしばしば固定される４桁の番号などの）パスワードとともに第２のデバイスに応答しなければならない、パスワード認証方式を含み得る、メッセージの交換を含み得る。Ｂｌｕｅｔｏｏｔｈ（登録商標）などのネットワーキングプロトコルでは、発見とペアリングとは別々のプロシージャである。ただし、それらは、ほとんどの場合、一緒に実行される。いくつかのワイヤレスデバイスでは、そのような複雑さ（たとえば、パスワード入力）は、単にデバイスペアリングを多くのユーザにとって困難で煩雑なものにする。ペアリング可能な状態に基づくように、また場合によっては、デバイスの時間的および物理的コロケーションに基づくように、ペアリングプロセスを調節することは、パーソナルエリアネットワーク中のデバイスをペアリングするプロセスを簡略化することができることがわかっている。一態様によれば、デバイスは、たとえば、（たとえば、デバイス上の制御ボタンを押下することによる）ユーザ制御からの入力に基づいて、ペアリング可能な状態に入り得る。そのようなデバイスが（同じく、ユーザによってペアリング可能な状態にされ得る）別のデバイスから発見およびペアリングメッセージを受信すると、それらの２つのデバイスは、さらなるユーザ対話なしにペアリングし得る。特定のデバイスとのペアリングは、たとえば、他方のデバイスがその間ペアリング可能であるように構成された特定の期間にわたってペアリング可能な状態が維持されていることに基づいて、またはペアリングを特定の距離内のデバイスに限定することによって、またはそれらの組合せによって、制御され得る。
【００１５】
図１は、モバイルデバイス１０２の一例を示すブロック図である。デバイス１０２はプロセッサ２０２を含み、プロセッサ２０２は、メモリ２０４と通信しており、また場合によっては、ワイヤレスリンク１０６を介して通信するためのネットワークインターフェース２０６と通信している。場合によっては、デバイス１０２はまた、ディスプレイ２１０、キー、タッチスクリーン、または他の好適な触覚入力デバイスなどのユーザ入力デバイス２１２、ワイヤレスリンク１０６を介して受信された信号に基づいて可聴出力を与えるように適応されたトランスデューサを備えるラウドスピーカー２１４、および／あるいはワイヤレスリンク１０６を介して送信され得る信号の可聴入力を与えるように適応されたトランスデューサを備えるマイクロフォン２１６のうちの１つまたは複数を含み得る。たとえば、電話は、グラフィカルユーザインターフェース（ＧＵＩ）の視覚出力を与えるように適応されたディスプレイ２１０を含み得る。ネットワークインターフェース２０６は、ＣＤＭＡ、ＧＳＭ（登録商標）、ＡＭＰＳなどの信号、またはワイヤレスセルフォンネットワーク内で通信するために使用される他の知られている信号を送信および受信し得る。
【００１６】
ディスプレイ２１０はディスプレイコントローラ２２４と通信していることがある。ディスプレイコントローラ２２４は、さらに、プロセッサ２０２と通信していることがある。ディスプレイコントローラ２２４は、ディスプレイコントローラ２２４に制御メッセージを送るように構成され得る。たとえば、ディスプレイコントローラ２２４は、ディスプレイ２１０によって使用される電力量を調節し得る。ディスプレイコントローラ２２４は、ディスプレイ２１０をオンにすること／オフにすること、ディスプレイ２１０の輝度を調節することなどを行い得る。ディスプレイコントローラ２２４は、ディスプレイ２１０によって使用される電力量をどのように調節すべきかを判断するための情報をプロセッサ２０２から受信し得る。たとえば、プロセッサ２０２は、別のデバイスとのワイヤレスまたはワイヤード接続が形成されたという情報をネットワークインターフェース２０８から受信し得る。プロセッサ２０２は、この情報をディスプレイコントローラ２２４にフォワーディングし得る。次いで、ディスプレイコントローラ２２４は、ディスプレイ２１０をオフにすることなどにより、ディスプレイ２１０によって使用される電力を調節し得る。
【００１７】
ネットワークインターフェース２０６は、例示的なデバイス１０２がワイヤレスリンク１０６を介して１つまたは複数のデバイスと通信することができるように、任意の好適なアンテナ（図示せず）と、受信機２２０と、送信機２２２とを含み得る。場合によっては、ネットワークインターフェース２０６はまた、プロセッサ２０２の処理要件を低減するための処理機能を有し得る。
【００１８】
場合によっては、デバイス１０２は、リンク１０８を介してネットワーク（たとえば、インターネットなどのワイドエリアネットワーク）上で通信する第２のネットワークインターフェース２０８を含み得る。たとえば、デバイス１０２は、ワイヤードまたはワイヤレス通信リンクを介してネットワークへの接続性を与え得る。さらに、デバイス１０２のうちの１つまたは複数はポータブルでも、場合によっては比較的非ポータブルでもよいことを諒解されたい。第２のネットワークインターフェース２０８は、ＩＥＥＥ８０２．１１（ａ）、（ｂ）、または（ｇ）を含むＩＥＥＥ８０２．１１規格、ＢＬＵＥＴＯＯＴＨ規格によるＲＦ信号を送信および受信し得る。さらに、第２のネットワークインターフェース２０８は、イーサネット（登録商標）（ＩＥＥＥ８０２．３）またはＵＳＢなどの任意の好適なワイヤードネットワークインターフェースを備え得る。第２のネットワークインターフェース２０８はまた、モバイルディスプレイデジタルインターフェース（ＭＤＤＩ）などの好適なワイヤードディスプレイインターフェースを備え得る。デバイス１０２は、第２のネットワークインターフェース２０８と同様の第３のインターフェース（図示せず）をも含み得る。
【００１９】
デバイス１０２は、デバイス１０２の１つまたは複数の構成要素に電力を供給するためのバッテリー２３１を含み得る。デバイス１０２は、電話、スマートフォン、携帯情報端末（ＰＤＡ）、ウルトラモバイルパーソナルコンピュータ（ＵＭＰＣ）、モバイルインターネットデバイス（ＭＩＤ）、または他のモバイルデバイスのうちの少なくとも１つを備え得る。特に、本明細書の教示は、様々なデバイス１０２に組み込まれ得る（たとえば、様々なデバイス１０２内に実装されるか、または様々なデバイス１０２によって実行され得る）。
【００２０】
本明細書で説明する構成要素は、様々な方法で実装され得る。図１を参照すると、デバイスまたは装置１０２は、たとえば、プロセッサ２０２、ソフトウェア、それらの何らかの組合せによって実装される機能、または本明細書で教示する何らかの他の方法で実装される機能を表し得る、一連の相互に関係する機能ブロックとして表されている。たとえば、プロセッサ２０２は、入力デバイス２１２を介したユーザ入力を可能にし得る。さらに、送信機２２２は、別のデバイス１０２に情報を送信することに関係する様々な機能を与える、送信のためのプロセッサを備え得る。受信機２２０は、本明細書で教示するように別のデバイス１０２から情報を受信することに関係する様々な機能を与える、受信のためのプロセッサを備え得る。
【００２１】
上記のように、図１は、いくつかの態様では、これらの構成要素が適切なプロセッサ構成要素によって実装され得ることを示している。これらのプロセッサ構成要素は、いくつかの態様では、少なくとも部分的には本明細書で教示する構造を使用して実装され得る。いくつかの態様では、プロセッサは、これらの構成要素のうちの１つまたは複数の機能の一部または全部を実装するように適応させられ得る。いくつかの態様では、破線の囲みによって表される構成要素のうちの１つまたは複数は随意である。
【００２２】
図２は、デバイス１０２の送信機２２２の一例を示すブロック図である。当業者には明らかであるように、図２の図示のブロック図では、デバイス１０２の論理モジュールは、通信ネットワークについて階層化し、抽象的に説明するという観点から、示されている。下記のように、各レイヤは、ソフトウェア、ハードウェア、または両方の任意の好適な組合せで実装され得る１つまたは複数の論理モジュールを備え得る。送信機２２２は、（ｉ）送信のためにデータリンクまたは媒体アクセス制御（ＭＡＣ）レイヤ４０２に情報を供給するアプリケーションレイヤ４０１と、（ｉｉ）アプリケーションレイヤ４０１からデータを受信し、そのデータを物理レイヤ４０４に供給する媒体アクセス制御（ＭＡＣ）レイヤ４０２と、（ｉｉｉ）ＭＡＣレイヤ４０２からデータを受信し、ワイヤレスチャネル１０６を介してそのデータを送信する物理（ＰＨＹ）レイヤ４０４とを含み得る。図示の送信機２２２では、ＰＨＹレイヤは、パルス発生器４０６と、符号化および変調ブロック４０８と、送信ブロック４１０とを含む。位相ロックループ（ＰＬＬ）（図示せず）がＰＨＹレイヤにタイミング信号を供給し得る。パルス発生器４０６はガウスパルス波形などの波形を発生する。いくつかの実施形態では、送信機２２２はパルス発生器を含まない。符号化および変調ブロック４０８は、畳み込み符号化、ブロック符号化または連結符号化（concatenated coding）などの符号化方式を使用して、ＭＡＣレイヤ４０２によって供給された情報信号を符号化し、パルス位置変調、パルス振幅変調、または送信基準変調などの方式を使用して、符号化された情報信号に基づいてパルス信号を変調する。送信ブロック４１０は、変調されたパルス信号を送信する。送信ブロック４１０の機能は、変調されたパルス信号を送信のために増幅することと、その信号をアンテナに供給することとを含み得る。
【００２３】
図３は、デバイス１０２の受信機２２０の一例を示すブロック図である。当業者には明らかであるように、図３の図示のブロック図では、デバイス１０２の論理モジュールは、通信ネットワークについて階層化し、抽象的に説明するという観点から、示されている。下記のように、各レイヤは、ソフトウェア、ハードウェア、または両方の任意の好適な組合せで実装され得る１つまたは複数の論理モジュールを備え得る。図３では、受信機２２０はアプリケーションレイヤ４０１とＭＡＣレイヤ４０２とを含む。ＰＨＹレイヤ４０４はＭＡＣレイヤ４０２と通信している。受信機のＰＨＹレイヤ４０４は、復調および復号ブロック５０８と受信ブロック５１０とを含む。受信ブロック５１０は、アンテナと、電力増幅器と、他の好適な受信機構成要素とを備え得る構成要素（図示せず）を含み得る。受信ブロック５１０は、ワイヤレス信号を受信し、その信号を復調および復号ブロック５０８に供給し、復調および復号ブロック５０８は、その信号を復調および復号し、受信したデータをＭＡＣレイヤ４０２に供給する。
【００２４】
受信機２２０および送信機２２２は様々なワイヤレス物理レイヤ方式を採用し得る。たとえば、受信機２２０と送信機２２２との物理レイヤ４０４は、何らかの形態のＣＤＭＡ、ＴＤＭＡ、ＯＦＤＭ、ＯＦＤＭＡ、または他の変調および多重化方式を利用し得る。
【００２５】
図４は、外部ディスプレイデバイスに接続された図１に示すモバイルデバイスの図である。モバイルデバイス１０２はディスプレイ２１０を有する。外部ディスプレイデバイス６０６はディスプレイ６０８を有する。いくつかの実施形態では、たとえば、干渉変調ＭＥＭＳデバイス、ＬＣＤ、ＯＬＥＤ、ＣＲＴ、ＤＬＰなどのディスプレイなどの、ディスプレイ２１０および６０８は、閲覧するのに適切なレベルに合わせてディスプレイ要素のアレイを点灯させるように構成された光源を含み得る。例示的な一実施形態では、ディスプレイ要素のアレイは、液晶で満たされたピクセルを含み得る。ディスプレイ要素のアレイにわたって光を分配するために、光源と組み合わせて、光ガイドが光源に近接してディスプレイ要素のアレイに結合され得る。光ガイドは、ディスプレイ要素の後ろに、たとえば、バックライト、またはディスプレイ要素の前に、たとえば、フロントライトなど、ディスプレイ要素に対して様々な配向において配置され得る。
【００２６】
いくつかの実施形態では、光源はバックライトを備える。いくつかのそのような実施形態のバックライトは、光発生器（たとえば、ＬＥＤ。ＬＥＤからの光が光ガイドスラブのエッジに沿って注入される）から光を受光し、光ガイドスラブに沿って光を案内し、デバイスのほうへ光の方向を変え、光を放出する、光ガイドスラブを備える。したがって、バックライトは、デバイスの送信および反射プロパティを利用して、輝度または色の対比を用いてパターン、グラフィックス、または画像を作成するために、実質的に一様でも非一様でもよい照明を与える。いくつかの実施形態では、光源は蛍光発生器を備える。他の実施形態では、光源は、白熱光発生器、ＬＥＤ、または別のタイプの光発生器を備える。いくつかの他の実施形態では、光源は、ディスプレイ要素のアレイを通して送信された後に光源に達する光の実質的部分を反射または放出する実質的に反射型の表面を備えることができる。さらに、いくつかの実施形態では、その反射型の表面に入射する光は、たとえば、太陽からの光など、周辺光または自然光を含む。
【００２７】
いくつかの実施形態では、光源は、（たとえば、ディスプレイコントローラ２２４、別のコントローラ、プロセッサなどからの）信号に応答して、複数の状態の間で変わる。たとえば、いくつかの実施形態では、上記信号に応答して、光源は「オン」および「オフ」になることができる。他の実施形態では、光源は、上記信号に応答して、たとえば、異なる輝度レベルまたは異なる色を有する光など、異なるプロパティを有する光を放出するように変わり得る。一実施形態では、光源は、上記信号に応答して、第１の選択された輝度を有する光を放出することから、第１の選択された輝度とは異なる第２の選択された輝度を有する光を放出することに、変わる。いくつかの実施形態では、光源は、上記信号に応答して、第１の選択された色を有する光を放出することから、第１の選択された色とは異なる第２の選択された色を有する光を放出することに、変わる。
【００２８】
いくつかの実施形態では、ディスプレイ要素のアレイは、（たとえば、ディスプレイコントローラ２２４、別のコントローラ、プロセッサなどからの）信号に応答して、複数の状態の間で変わる。たとえば、いくつかの実施形態では、上記信号に応答して、ピクセルは、光源からより多いまたはより少ない光がユーザに達することを可能にするようになど、状態を変えることができる。アレイ中の各ピクセルの状態を調節することによって、画像が形成され得る。
【００２９】
モバイルデバイス１０２と外部ディスプレイデバイス６０６とはワイヤレスにまたはワイヤによって接続され得る。モバイルデバイス１０２は、たとえば、図１に示す第２のネットワークインターフェース２０８など、ネットワークインターフェースまたはディスプレイインターフェースを有し得る。外部ディスプレイデバイス６０６は、同様のネットワークインターフェースまたはディスプレイインターフェースを有し得る。モバイルデバイス１０２と外部ディスプレイデバイス６０６とは、接続されたとき、これらのインターフェースを使用して通信し得る。接続１０８は、外部ディスプレイデバイス６０６とモバイルデバイス１０２との間のワイヤレスまたはワイヤード接続であり得る。
【００３０】
モバイルデバイス１０２が接続１０８を介して外部ディスプレイデバイス６０６に接続されていないとき、ディスプレイ２１０は電源投入されていることがあり、バックライトに電力供給し、ピクセルに電力供給するために、電力が消費されることがある。それに応じて、ディスプレイ２１０は、モバイルデバイスのＧＵＩなどの視覚情報をユーザに与える。一実施形態では、モバイルデバイス１０２が接続１０８を介して外部ディスプレイデバイス６０６に接続されたとき、モバイルデバイスは、接続１０８を検出し、ディスプレイ６０８上に視覚情報を表示するための情報を外部ディスプレイデバイス６０６に送る。ディスプレイ６０８を駆動するためにモバイルデバイス１０２からのそのような情報をフォーマットし、送ることは、より大きい電力消費量をもたらす処理を必要とする。
【００３１】
いくつかの実施形態では、モバイルデバイス１０２のディスプレイコントローラ２２４は、接続１０８を介して外部ディスプレイデバイス６０６に接続されたとき、ディスプレイ２１０の電力消費量を調節する。そのような一実施形態では、モバイルデバイス１０２が接続１０８を介して外部ディスプレイデバイス６０６に接続されたとき、ディスプレイコントローラ２２４は、ディスプレイ２１０のバックライトへの電源をオフにする。他の実施形態では、ディスプレイコントローラ２２４は、ディスプレイ２１０のリフレッシュレートを低減する。さらに他の実施形態では、ディスプレイコントローラ２２４は、ディスプレイ２１０のバックライトとピクセルとへの電源をオフにする。別の実施形態では、ディスプレイコントローラ２２４は、ディスプレイ２１０のバックライトの輝度レベルを低減する。いくつかの実施形態では、モバイルデバイス１０２がウォールチャージャなどの外部電源に接続された場合、ディスプレイコントローラ２２４はディスプレイ２１０の電力消費量を調節しない。さらに他の実施形態では、ディスプレイコントローラ２２４は、モバイルデバイス１０２に電力供給するバッテリー２３１中の残りの充電レベルに基づいて、ディスプレイ２１０の電力消費量を調節する。一実施形態では、ディスプレイコントローラ２２４は、バッテリー２３１中の残りの充電レベルが、バッテリー２３１の最大充電レベルの５０％未満である場合のみ、ディスプレイ２１０の電力消費量を調節し得る。別の実施形態では、ディスプレイ２１０はＮ個の異なる輝度レベルをサポートし得、ディスプレイコントローラ２２４は、バッテリー２３１の充電レベルの異なる範囲に対して、ディスプレイ２１０を異なる輝度レベルに設定し得る（たとえば、レベル１は充電レベル０％〜２０％に対応し、レベル２は充電レベル２１％〜５１％に対応し、レベル３は充電レベル５２％〜１００％に対応する）。そのような範囲は一様でも非一様でもよい。
【００３２】
いくつかの実施形態では、ディスプレイ２１０の電力消費量をどのように調節すべきかの選定は、いくつかの選好に基づく。いくつかの実施形態では、これらの選好は、モバイルデバイス１０２のメモリ２０４または外部ディスプレイデバイス６０６のいずれかに記憶され得る。例示的な一実施形態では、その選好は、ディスプレイ６０８および／またはディスプレイ２１０の特性に基づく。たとえば、一実施形態では、ディスプレイ２１０はタッチスクリーンを備え得る。タッチスクリーンをもつモバイルデバイス１０２が外部ディスプレイデバイス６０６に接続されたとき、選好ファイルは、タッチスクリーンをもつモバイルデバイスがディスプレイスクリーンへの電力を調節すべきではないことを示し得る。別の実施形態では、ディスプレイ２１０はタッチスクリーンを備えないことがある。タッチスクリーンをもたないモバイルデバイス１０２が外部ディスプレイデバイス６０６に接続されたとき、選好ファイルは、ディスプレイ２１０がオフにされるべきであることを示し得る。さらに、各個のモバイルデバイス１０２は、各個のモバイルデバイス１０２に関連付けられた一意の選好ファイルを有し、その結果、接続されたとき、その選好ファイルに従って調節するようになり得る。いくつかのデフォルト設定（たとえば、モバイルデバイス１０２が外部ディスプレイデバイス６０６に接続されたとき、リフレッシュレートを低減する）をもつ、各デバイスのためのデフォルト選好ファイルがあり得る。他の実施形態では、ディスプレイ２１０がタッチスクリーンであり、ディスプレイ６０８がタッチスクリーンである場合、上記選好は、ディスプレイ２１０がオフになり、タッチスクリーン６０８によって受信された入力を介してモバイルデバイス１０２の制御が達成されるように、設定され得る。
【００３３】
いくつかの実施形態では、ディスプレイ２１０の電力消費量をどのように調節すべきかの選定は、ユーザ入力に基づく。ユーザ入力は、モバイルデバイス１０２の入力２１２、外部ディスプレイデバイス６０６、あるいはモバイルデバイス１０２または外部ディスプレイデバイス６０６のいずれかとインターフェースする何らかの他の入力デバイスを介して、受信され得る。ユーザ入力は、初期調節後、デバイス１０２とデバイス６０６とが接続されるたびにユーザがデフォルト設定を変更する必要がなくなるように、記憶された選好を編集するために使用され得る。別の実施形態では、ユーザ入力は、デフォルト設定をオーバーライドするために１回のみ使用され得る。ユーザは、リフレッシュレートを低減すること、オフになることなどをディスプレイ２１０に希望するかどうかを選択し得る。
【００３４】
たとえば、入力デバイスは、キーボード、ローラーボール、ペンおよびスタイラス、マウス、または音声認識システムであり得る。入力デバイスはまた、タッチスクリーンであり得る。ユーザは、スクリーンにタッチすることによってディスプレイ上のプロンプトに応答し得る。入力デバイスを通してユーザによってテキストまたはグラフィック情報が入力され得る。
【００３５】
一実施形態では、モバイルデバイス１０２が最初に接続１０８を介して外部ディスプレイデバイス６０６に接続されたとき、ディスプレイ６０８は、その接続の直前にディスプレイ２１０上に表示されていたのと同じ視覚情報を表示するように駆動され得る（すなわち、モバイルデバイス１０２は同じ状態のままであり得る）。別の実施形態では、ディスプレイ６０８は、スタートアップスクリーンを示すように駆動され得、モバイルデバイス１０２はスタートアップ状態に移り得、その結果、接続１０８を形成したとき、ユーザは常に同じ初期視覚情報を提示されるようになる。さらに、接続１０８がモバイルデバイス１０２と外部ディスプレイデバイス６０６との間で切断されたとき、ディスプレイ２１０は、接続の切断の直前にディスプレイ６０８上に表示されていたのと同じ視覚情報を表示するように駆動され得、モバイルデバイス１０２は同じ状態のままであり得る。別の実施形態では、ディスプレイ２１０は、スタートアップスクリーンを示すように駆動され得、モバイルデバイス１０２はスタートアップ状態に移り得、その結果、接続１０８を切断したとき、ユーザは常に同じ初期視覚情報を提示されるようになる。
【００３６】
いくつかの実施形態では、外部デバイス６０６に対するモバイルデバイス１０２の近接度により、それらのデバイスは、自動的にペアリングし、接続１０８を形成する。いくつかの実施形態では、モバイルデバイス１０２と外部ディスプレイデバイス６０６とは、各デバイスの機能に関係する情報を交換し、ディスプレイ２１０をどのように調節すべきかを自動的に判断する。他の実施形態では、ユーザは、モバイルデバイス１０２および／または外部デバイス６０６の機能（たとえば、タッチスクリーン、非タッチスクリーン）に関して問い合わせられる。ユーザはまた、ユーザの選好（たとえば、バックライトをオフにする、バックライトをオンのままにする）に関して問い合わせられ得る。ユーザは、モバイルデバイス１０２および／または外部ディスプレイデバイス６０６上で問い合わせられ、いずれかのデバイスまたは何らかの外部デバイスを介して入力を受信し得る。
【００３７】
いくつかの実施形態では、モバイルデバイス１０２および／または外部デバイス６０６は、それらのデバイスの近接度に基づいて自動的に形成された、またはそれらのデバイス間にワイヤを接続することによって形成された、ワイヤレスまたはワイヤード接続を検出することが可能である。他の実施形態では、ユーザは、モバイルデバイス１０２および／または外部デバイス６０６上での入力によって接続１０８を開始する。
【００３８】
図５は、図１および図４に示すモバイルデバイスのディスプレイに送られる電力を調節するプロセスの一実施形態のフローチャートである。ステップ７０５において、モバイルデバイス１０２は別のデバイスに接続する。続いてステップ７１０において、モバイルデバイス１０２は、接続されたデバイスが外部ディスプレイデバイス（たとえば、外部ディスプレイデバイス６０６）であるかどうかを判断する。モバイルデバイス１０２が、接続されたデバイスが外部ディスプレイデバイスでないと判断した場合、プロセス７００は終了する。モバイルデバイス１０２が、接続されたデバイスが外部ディスプレイデバイスであると判断した場合、プロセス７００はステップ７１５に続く。ステップ７１５において、ディスプレイコントローラ２２４は、モバイルデバイス１０２のディスプレイ２１０を調節する。ディスプレイコントローラ２２４は、図４に関して上記で説明したように、ディスプレイ２１０を調節し得る。
【００３９】
図６は、図１および図４に示すモバイルデバイスのディスプレイに送られる電力を調節するプロセスの一実施形態の別のフローチャートである。ステップ８０５において、モバイルデバイス１０２は別のデバイスに接続する。続いてステップ８１０において、モバイルデバイス１０２は、接続されたデバイスが外部ディスプレイデバイス（たとえば、外部ディスプレイデバイス６０６）であるかどうかを判断する。モバイルデバイス１０２が、接続されたデバイスが外部ディスプレイデバイスでないと判断した場合、プロセス８００は終了する。モバイルデバイス１０２が、接続されたデバイスが外部ディスプレイデバイスであると判断した場合、プロセス８００はステップ８１５に続く。ステップ８１５において、ディスプレイコントローラ２２４は、外部ディスプレイデバイスが接続されたとき、モバイルデバイス１０２がモバイルデバイス１０２のディスプレイ２１０を自動的に調節するように構成されているかどうかを判断する。ステップ８１５において、ディスプレイコントローラ２２４が、モバイルデバイス１０２がディスプレイ２１０を自動的に調節するように構成されていると判断した場合、プロセス８００はステップ８２０に続く。ステップ８１５において、ディスプレイコントローラ２２４が、モバイルデバイス１０２がディスプレイ２１０を自動的に調節するように構成されていないと判断した場合、プロセス８００はステップ８２５に続く。さらに、ステップ８２０において、ディスプレイコントローラ２２４は、ディスプレイ２１０をどのように調節すべきかを示す情報をメモリ２０４から読み取る。
【００４０】
続いてステップ８２５において、ディスプレイコントローラ２２４は、外部ディスプレイデバイスが接続されたとき、モバイルデバイス１０２がモバイルデバイス１０２のディスプレイ２１０をオフにするように構成されているかどうかを判断する。ステップ８２５において、ディスプレイコントローラ２２４が、モバイルデバイス１０２がディスプレイ２１０をオフにするように構成されていないと判断した場合、プロセス８００はステップ８３５に続く。ステップ８２５において、ディスプレイコントローラ２２４が、モバイルデバイス１０２がディスプレイ２１０をオフにするように構成されていると判断した場合、プロセス８００はステップ８３０に続く。さらに、ステップ８３０において、ディスプレイコントローラ２２４は、ディスプレイ２１０をオフにし、ステップ８５５に進む。
【００４１】
ステップ８３５において、ディスプレイコントローラ２２４は、外部ディスプレイデバイスが接続されたとき、モバイルデバイス１０２がモバイルデバイス１０２のディスプレイ２１０のリフレッシュレートを低減するように構成されているかどうかを判断する。ステップ８３５において、ディスプレイコントローラ２２４が、モバイルデバイス１０２がディスプレイ２１０のリフレッシュレートを低減するように構成されていないと判断した場合、プロセス８００はステップ８４５に続く。ステップ８３５において、ディスプレイコントローラ２２４が、モバイルデバイス１０２がディスプレイ２１０のリフレッシュレートを低減するように構成されていると判断した場合、プロセス８００はステップ８４０に続く。さらに、ステップ８４０において、ディスプレイコントローラ２２４は、ディスプレイ２１０のリフレッシュレートを低減し、ステップ８５５に進む。
【００４２】
ステップ８４５において、ディスプレイコントローラ２２４は、外部ディスプレイデバイスが接続されたとき、モバイルデバイス１０２がモバイルデバイス１０２のディスプレイ２１０を暗くするように構成されているかどうかを判断する。ステップ８４５において、ディスプレイコントローラ２２４が、モバイルデバイス１０２がディスプレイ２１０を暗くするように構成されていないと判断した場合、プロセス８００はステップ８５５に続く。ステップ８４５において、ディスプレイコントローラ２２４が、モバイルデバイス１０２がディスプレイ２１０を暗くするように構成されていると判断した場合、プロセス８００はステップ８５０に続く。さらに、ステップ８５０において、ディスプレイコントローラ２２４は、ディスプレイ２１０を暗くし、ステップ８５５に進む。
【００４３】
ステップ８５５において、モバイルデバイス１０２は、表示のためのデータを外部ディスプレイデバイスに送信する。
【００４４】
（たとえば、添付の図の１つまたは複数に関して）本明細書で説明した機能は、いくつかの態様では、添付の特許請求の範囲において同様に指定された「手段」機能に対応し得る。図７を参照すると、モバイルデバイス１０２は、一連の相互に関係する機能モジュールとして表されている。
【００４５】
図７は、モバイルデバイスの別の例を示すブロック図である。図示のように、モバイルデバイス１０２は、表示ユニット９０５と、調節ユニット９１０と、検出ユニット９１５とを備え得る。表示ユニット９０５は、少なくともいくつかの態様では、たとえば、本明細書で説明するディスプレイに対応し得る。調節ユニット９１０は、少なくともいくつかの態様では、たとえば、本明細書で説明するディスプレイコントローラおよび／またはプロセッサに対応し得る。検出ユニット９１５は、少なくともいくつかの態様では、たとえば、本明細書で説明するネットワークインターフェースおよび／またはプロセッサに対応し得る。
【００４６】
図７のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示するように何らかの他の方法で実装され得る。
【００４７】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【００４８】
本明細書では本発明の特定の例について説明しているが、当業者なら、本発明の概念を逸脱することなく本発明の変形物を考案することができる。たとえば、本明細書の教示は、フェムトセルおよびマクロセルを用いたネットワークについて言及しているが、他のトポロジーを用いたネットワークに等しく適用可能である。
【００４９】
情報および信号は、様々な異なる技術および技法のいずれを使用しても表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５０】
さらに、本明細書で開示した例に関連して説明した様々な例示的な論理ブロック、モジュール、回路、方法およびアルゴリズムは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、方法、およびアルゴリズムを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本発明の範囲からの逸脱を生じるものと解釈すべきではない。
【００５１】
本明細書で開示した例に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装され得る。
【００５２】
本明細書で開示した例に関して説明した方法またはアルゴリズムは、直接ハードウェアで実施されるか、プロセッサによって実行されるソフトウェアモジュールで実施されるか、またはそれらの２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込み得るように、プロセッサに結合され得る。代替として、記憶媒体はプロセッサに一体化され得る。プロセッサおよび記憶媒体はＡＳＩＣ中に常駐し得る。
【００５３】
１つまたは複数の例示的な実施形態では、説明した機能はハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００５４】
開示した例の前述の説明は、当業者が本発明を実施または使用できるようにするために与えたものである。これらの例の様々な変更形態は、当業者には容易に明らかになるものであり、本明細書で定義した一般原理は、本発明の趣旨または範囲から逸脱することなく他の例に適用され得る。したがって、本発明は、本明細書で示した例に限定されるものではなく、本明細書で開示した原理および新規の特徴に一致する最も広い範囲が与えられるべきである。
以下に、本願出願の当初の特許請求の範囲に記載された発明を付記する。
［Ｃ１］  モバイルデバイスからの情報を表示する方法であって、前記方法が、
モバイルデバイスと外部ディスプレイデバイスとの間のワイヤレス接続を検出することと、
少なくとも前記ワイヤレス接続の前記検出に基づいて前記モバイルデバイスのディスプレイを調節することと
を備える、方法。
［Ｃ２］  前記ディスプレイを調節することが、前記ディスプレイのリフレッシュレートを低減することを備える、Ｃ１に記載の方法。
［Ｃ３］  前記ディスプレイを調節することが、前記ディスプレイのバックライトをオフにすることを備える、Ｃ１に記載の方法。
［Ｃ４］  前記ディスプレイを調節することが、前記ディスプレイのバックライトの輝度レベルを調節することを備える、Ｃ１に記載の方法。
［Ｃ５］  前記ディスプレイを調節することが、前記ディスプレイのピクセルアレイへの電源をオフにすることを備える、Ｃ１に記載の方法。
［Ｃ６］  前記モバイルデバイスと外部電源との間の接続を検出することをさらに備え、前記ディスプレイを調節することが、前記ディスプレイを電源投入状態に維持することを備える、Ｃ１に記載の方法。
［Ｃ７］  前記外部ディスプレイデバイスの少なくとも１つのプロパティを検出することをさらに備える、Ｃ１に記載の方法。
［Ｃ８］  前記少なくとも１つのプロパティは、前記外部ディスプレイデバイスがタッチスクリーンディスプレイを備えるのか、前記外部ディスプレイデバイスが非タッチスクリーンディスプレイを備えるのかを備える、Ｃ７に記載の方法。
［Ｃ９］  前記検出された少なくとも１つのプロパティに基づいて前記モバイルデバイスの前記ディスプレイを調節することをさらに備える、Ｃ８に記載の方法。
［Ｃ１０］  前記外部ディスプレイデバイスに最初に接続されたときに前記モバイルデバイスを第１の状態に設定することと、前記外部ディスプレイデバイスから最初に切断されたときに前記モバイルデバイスを第２の状態に設定することとをさらに備える、Ｃ１に記載の方法。
［Ｃ１１］  前記第１の状態が前記第２の状態とは異なる、Ｃ１０に記載の方法。
［Ｃ１２］  前記第１の状態が前記第２の状態と実質的に同じである、Ｃ１０に記載の方法。
［Ｃ１３］  前記モバイルデバイスのバッテリー充電レベルに基づいて前記モバイルデバイスの前記ディスプレイを調節することをさらに備える、Ｃ１に記載の方法。
［Ｃ１４］  ユーザからの入力に基づいて前記モバイルデバイスの前記ディスプレイを調節することをさらに備える、Ｃ１に記載の方法。
［Ｃ１５］  ディスプレイと、
外部ディスプレイデバイスとのワイヤレス接続を検出するように構成された第１の処理回路と、
少なくとも前記ワイヤレス接続の前記検出に基づいて前記ディスプレイを調節するように構成された第２の処理回路と
を備えるモバイルデバイス。
［Ｃ１６］  前記第２の処理回路が、前記ディスプレイのリフレッシュレートを低減するようにさらに構成された、Ｃ１５に記載のモバイルデバイス。
［Ｃ１７］  前記第２の処理回路が、前記ディスプレイのバックライトをオフにするようにさらに構成された、Ｃ１５に記載のモバイルデバイス。
［Ｃ１８］  前記第２の処理回路が、前記ディスプレイのバックライトの輝度レベルを調節するようにさらに構成された、Ｃ１５に記載のモバイルデバイス。
［Ｃ１９］  前記第２の処理回路が、前記ディスプレイのピクセルアレイへの電源をオフにするようにさらに構成された、Ｃ１５に記載のモバイルデバイス。
［Ｃ２０］  外部電源との接続を検出するように構成された第３の処理回路をさらに備え、少なくとも前記外部電源との前記接続が検出された場合、前記第２の処理回路が、前記ディスプレイを電源投入状態に維持するようにさらに構成された、Ｃ１５に記載のモバイルデバイス。
［Ｃ２１］  前記外部ディスプレイデバイスの少なくとも１つのプロパティを検出するように構成された第３の処理回路をさらに備える、Ｃ１５に記載のモバイルデバイス。
［Ｃ２２］  前記少なくとも１つのプロパティは、前記外部ディスプレイデバイスがタッチスクリーンディスプレイを備えるのか、前記外部ディスプレイデバイスが非タッチスクリーンディスプレイを備えるのかを備える、Ｃ２１に記載のモバイルデバイス。
［Ｃ２３］  前記第２の処理回路が、前記検出された少なくとも１つのプロパティに基づいて前記ディスプレイを調節するようにさらに構成された、Ｃ２２に記載のモバイルデバイス。
［Ｃ２４］  前記外部ディスプレイデバイスに最初に接続されたときに前記モバイルデバイスを第１の状態に設定するように構成され、前記外部ディスプレイデバイスから最初に切断されたときに前記モバイルデバイスを第２の状態に設定するようにさらに構成された第３の処理回路をさらに備える、Ｃ１５に記載のモバイルデバイス。
［Ｃ２５］  前記第１の状態が前記第２の状態とは異なる、Ｃ２４に記載のモバイルデバイス。
［Ｃ２６］  前記第１の状態が前記第２の状態と実質的に同じである、Ｃ２４に記載のモバイルデバイス。
［Ｃ２７］  前記第２の処理回路が、前記モバイルデバイスのバッテリー充電レベルに基づいて前記ディスプレイを調節するようにさらに構成された、Ｃ１５に記載のモバイルデバイス。
［Ｃ２８］  前記第２の処理回路が、ユーザからの入力に基づいて前記ディスプレイを調節するようにさらに構成された、Ｃ１５に記載のモバイルデバイス。
［Ｃ２９］  モバイルデバイスと外部ディスプレイデバイスとの間のワイヤレス接続を検出するための手段と、
少なくとも前記ワイヤレス接続の前記検出に基づいて前記モバイルデバイスのディスプレイを調節するための手段と
を備える装置。
［Ｃ３０］  前記調節するための手段が、前記ディスプレイのリフレッシュレートを低減するようにさらに構成された、Ｃ２９に記載の装置。
［Ｃ３１］  前記調節するための手段が、前記ディスプレイのバックライトをオフにするようにさらに構成された、Ｃ２９に記載の装置。
［Ｃ３２］  前記調節するための手段が、前記ディスプレイのバックライトの輝度レベルを調節するようにさらに構成された、Ｃ２９に記載の装置。
［Ｃ３３］  前記調節するための手段が、前記ディスプレイのピクセルアレイへの電源をオフにするようにさらに構成された、Ｃ２９に記載の装置。
［Ｃ３４］  コンピュータに、モバイルデバイスと外部ディスプレイデバイスとの間のワイヤレス接続を検出させるためのコードと、
コンピュータに、少なくとも前記ワイヤレス接続の前記検出に基づいて前記モバイルデバイスのディスプレイを調節させるためのコードと
を備えるコンピュータ可読媒体
を備える、コンピュータプログラム製品。
［Ｃ３５］  前記コンピュータ可読媒体が、コンピュータに、前記ディスプレイのリフレッシュレートを低減させるためのコードをさらに備える、Ｃ３４に記載のコンピュータプログラム製品。
［Ｃ３６］  前記コンピュータ可読媒体が、コンピュータに、前記ディスプレイのバックライトをオフにさせるためのコードをさらに備える、Ｃ３４に記載のコンピュータプログラム製品。
［Ｃ３７］  前記コンピュータ可読媒体が、コンピュータに、前記ディスプレイのバックライトの輝度レベルを調節させるためのコードをさらに備える、Ｃ３４に記載のコンピュータプログラム製品。
［Ｃ３８］  前記コンピュータ可読媒体が、コンピュータに、前記ディスプレイのピクセルアレイへの電源をオフにさせるためのコードをさらに備える、Ｃ３４に記載のコンピュータプログラム製品。
【図１】
0005485372.tif 000002
【図２】
0005485372.tif 000003
【図３】
0005485372.tif 000004
【図４】
0005485372.tif 000005
【図５】
0005485372.tif 000006
【図７】
0005485372.tif 000007
【図６】
0005485372.tif 000008